(57)【特許請求の範囲】
【請求項１】
屋外構造物を構成する水平方向に開口を有する中空部材の小口に取り付けられる小口キャップであって、
前記小口を覆うための本体部と、
雨水を排出する排出口と、
前記排出口に向けて雨水を誘導する誘導部と、を有し、
前記誘導部は、前記本体部と前記中空部材の上方の隙間から入った雨水を前記排出口に向けて誘導する第一誘導部と、前記本体部と前記中空部材の側方の隙間から入った雨水を前記排出口に向けて誘導する第二誘導部と、を有することを特徴とする小口キャップ。
【請求項２】
請求項１に記載の小口キャップであって、
前記本体部の下縁に位置する下縁部の左右方向における端部に、前記排出口が設けられ、
前記第一誘導部として、前記本体部の内面から内側へ突出し、かつ、前記本体部の左右方向における中央部から端部へ向かって斜めに下がった誘導スロープが設けられていることを特徴とする小口キャップ。
【請求項３】
請求項１又は請求項２に記載の小口キャップであって、
前記中空部材は、上面部に凹部を備えた形材であり、
前記凹部の前記小口と前記本体部との間に空間を設けるための窪みが、前記本体部の内面に形成されていることを特徴とする小口キャップ。
【請求項４】
請求項１乃至請求項３のいずれかに記載の小口キャップであって、
前記本体部の下縁に位置する下縁部の左右方向における端部に、前記排出口が設けられ、
前記第二誘導部として、前記本体部の内面から内側へ突出し、かつ、上下方向に沿った誘導壁が、前記本体部の左右方向における端部に設けられていることを特徴とする小口キャップ。
【請求項５】
請求項４に記載の小口キャップであって、
前記排出口の位置は、前記誘導壁の突出端面の位置よりも、見込み方向において外側に位置し、
前記誘導壁の下部には、前記誘導壁の前記見込み方向における高さが下方に向かうほど低くなる切り欠きが備えられていることを特徴とする小口キャップ。
【請求項６】
屋外構造物を構成する水平方向に開口を有する中空部材の小口に取り付けられる小口キャップであって、
前記小口を覆うための本体部と、
雨水を排出する排出口と、
前記排出口に向けて雨水を誘導する誘導部と、を有し、
前記誘導部は、雨水を集約する雨水集約部であり、
前記雨水集約部は、前記本体部と前記中空部材の上方の隙間から入った雨水を前記排出口に向けて誘導する第一誘導部であり、
前記本体部と前記中空部材の側方の隙間から入った雨水を前記排出口に向けて誘導する第二誘導部を前記第一誘導部とは別に備えることを特徴とする小口キャップ。
【請求項７】
請求項６に記載の小口キャップであって、
前記本体部には、前記雨水集約部で集約された雨水を前記本体部の内面から外面へ排水し、前記本体部の内面から外面へ貫通する前記排出口が形成されていることを特徴とする小口キャップ。
【請求項８】
請求項１乃至請求項７のいずれかに記載の小口キャップと、
前記小口キャップが取り付けられた前記中空部材と、を有することを特徴とする屋外構造物。
【発明の詳細な説明】
【技術分野】
【０００１】
本発明は、小口キャップ、及び、屋外構造物に関する。
【背景技術】
【０００２】
屋根の梁、ルーバー、屋外フェンス、庇、手すり等の屋外構造物を構成する中空部材の小口には、当該中空部材の見栄えを良くする目的等のために、小口キャップが取り付けられる場合がある。
【先行技術文献】
【特許文献】
【０００３】
【特許文献１】特開平１０−１４０７２８号公報
【発明の概要】
【発明が解決しようとする課題】
【０００４】
従来、小口キャップと屋外構造物を構成する中空部材の隙間から雨水が入り、小口キャップが取り付けられた屋外構造物を構成する中空部材内に当該雨水が溜まる問題が生じていた。
【０００５】
本発明は、かかる課題に鑑みてなされたものであり、その目的とするところは、小口キャップと屋外構造物を構成する中空部材の隙間から入った雨水を適切に排出することが可能な小口キャップ等を実現することにある。
【課題を解決するための手段】
【０００６】
かかる目的を達成するために本発明の小口キャップは、屋外構造物を構成する水平方向に開口を有する中空部材の小口に取り付けられる小口キャップであって、
前記小口を覆うための本体部と、
雨水を排出する排出口と、
前記排出口に向けて雨水を誘導する誘導部と、を有し、
前記誘導部は、前記本体部と前記中空部材の上方の隙間から入った雨水を前記排出口に向けて誘導する第一誘導部と、前記本体部と前記中空部材の側方の隙間から入った雨水を前記排出口に向けて誘導する第二誘導部と、を有することを特徴とする小口キャップである。
【０００７】
このような小口キャップによれば、小口キャップと中空部材の隙間から入った雨水が誘導部により排出口に適切に導かれることとなり、当該雨水を適切に排出することが可能となる。また、雨水の誘導部による誘導がより効率的に行われ、当該雨水をより適切に排出することが可能となる。
【０００８】
かかる小口キャップであって、
前記本体部の下縁に位置する下縁部の左右方向における端部に、前記排出口が設けられ、
前記第一誘導部として、前記本体部の内面から内側へ突出し、かつ、前記本体部の左右方向における中央部から端部へ向かって斜めに下がった誘導スロープが設けられていることが望ましい。
【０００９】
このような小口キャップによれば、本体部と中空部材の上方の隙間から入った雨水を排出口に向けて適切に誘導することができる。
【００１０】
かかる小口キャップであって、
前記中空部材は、上面部に凹部を備えた形材であり、
前記凹部の前記小口と前記本体部との間に空間を設けるための窪みが、前記本体部の内面に形成されていることが望ましい。
【００１１】
このような小口キャップによれば、凹部に雨水が溜まることを抑制することが可能となる。
【００１２】
かかる小口キャップであって、
前記本体部の下縁に位置する下縁部の左右方向における端部に、前記排出口が設けられ、
前記第二誘導部として、前記本体部の内面から内側へ突出し、かつ、上下方向に沿った誘導壁が、前記本体部の左右方向における端部に設けられていることが望ましい。
【００１３】
このような小口キャップによれば、本体部と中空部材の側方の隙間から入った雨水を排出口に向けて適切に誘導することができる。
【００１４】
かかる小口キャップであって、
前記排出口の位置は、前記誘導壁の突出端面の位置よりも、見込み方向において外側に位置し、
前記誘導壁の下部には、前記誘導壁の前記見込み方向における高さが下方に向かうほど低くなる切り欠きが備えられていることが望ましい。
【００１５】
このような小口キャップによれば、本体部と中空部材の側方の隙間から入った雨水を排出口に向けてより適切に誘導することができる。
【００１６】
また、かかる目的を達成するために本発明の小口キャップは、屋外構造物を構成する水平方向に開口を有する中空部材の小口に取り付けられる小口キャップであって、
前記小口を覆うための本体部と、
雨水を排出する排出口と、
前記排出口に向けて雨水を誘導する誘導部と、を有し、
前記誘導部は、雨水を集約する雨水集約部であり、
前記雨水集約部は、前記本体部と前記中空部材の上方の隙間から入った雨水を前記排出口に向けて誘導する第一誘導部であり、
前記本体部と前記中空部材の側方の隙間から入った雨水を前記排出口に向けて誘導する第二誘導部を前記第一誘導部とは別に備えることを特徴とする小口キャップである。
【００１７】
このような小口キャップによれば、小口キャップと中空部材の隙間から入った雨水を排出口に向けてより適切に誘導することができる。
【００１９】
また、雨水の誘導部による誘導がより効率的に行われ、当該雨水をより適切に排出することが可能となる。                                                                          
【００２０】
かかる小口キャップであって、
前記本体部には、前記雨水集約部で集約された雨水を前記本体部の内面から外面へ排水し、前記本体部の内面から外面へ貫通する前記排出口が形成されていることが望ましい。
【００２１】
このような小口キャップによれば、排出口を中空部材の小口と接しない位置に設けることができる。そのため、より確実に、中空部材内に雨水を浸水させることなく排出することが可能となる。
【００２２】
また、本発明の屋外構造物は、上述した小口キャップと、前記小口キャップが取り付けられ前記中空部材と、を有することを特徴とする屋外構造物である。
【００２３】
このような屋外構造物によれば、小口キャップと中空部材の隙間から入った雨水が誘導部により排出口に適切に導かれることとなり、当該雨水を適切に排出することが可能となる。
【発明の効果】
【００２４】
本発明によれば、小口キャップと屋外構造物を構成する中空部材の隙間から入った雨水を適切に排出することが可能な小口キャップ及び屋外構造物を実現することができる。
【図面の簡単な説明】
【００２５】
【図１】テラス屋根８０の正面図である。
【図２】テラス屋根８０の上面図である。
【図３】テラス屋根８０のＡ−Ａ断面図である。
【図４】梁１０及びその周辺を拡大した部分拡大図である。
【図５】小口キャップ２０の斜視図である。
【図６】小口キャップ２０の正面図である。
【図７】小口キャップ２０の上面図である。
【図８】小口キャップ２０の下面図である。
【図９】小口キャップ２０の左側面図である。
【図１０】小口キャップ２０の右側面図である。
【図１１】小口キャップ２０のＡ−Ａ断面図である。
【図１２】小口キャップ２０のＢ−Ｂ断面図である。
【図１３】小口キャップ２０のＣ−Ｃ断面図である。
【図１４】梁１０に小口キャップ２０が取り付けられた様子を示した正面図である。
【図１５】梁１０に小口キャップ２０が取り付けられた様子を示した下面図である。
【図１６】第一変形例に係る小口キャップ２０の上面図、正面図、及び、下面図である。
【図１７】第一変形例に係る小口キャップ２０の側面図、Ａ−Ａ断面図、及び、Ｂ−Ｂ断面図である。
【図１８】第二変形例に係る小口キャップ２０の上面図、正面図、及び、下面図である。
【図１９】第二変形例に係る小口キャップ２０の側面図、Ａ−Ａ断面図、及び、Ｂ−Ｂ断面図である。
【図２０】第三変形例に係る小口キャップ２０の上面図、正面図、及び、下面図である。
【図２１】第三変形例に係る小口キャップ２０の側面図、Ａ−Ａ断面図、及び、Ｂ−Ｂ断面図である。
【図２２】第三変形例に係る小口キャップ２０の裏面図である。
【発明を実施するための形態】
【００２６】
＝＝＝本実施の形態に係る屋外ユニット１について＝＝＝
上述したとおり、小口キャップは、屋根の梁、ルーバー、屋外フェンス、庇、手すり等の屋外構造物を構成する中空部材の小口に取り付けられる。すなわち、屋根の梁、ルーバー、屋外フェンス、庇、手すり等の水平方向に開口を有する中空部材と、小口キャップとにより、屋外構造物が構成される。
【００２７】
本実施の形態においては、小口キャップ２０が取り付けられる中空部材として屋根（テラス屋根８０）の梁１０を例に挙げ、先ず、当該梁１０について説明する。そして、これに引き続いて、小口キャップ２０について詳説する。
【００２８】
また、梁１０と小口キャップ２０に係る方向について、以下のように定義する（後述する梁１０の周辺部材（柱８２、側枠８４）に係る方向についても、便宜上当該方向に従う）。梁１０に取り付けられた状態の小口キャップ２０を内面側から見たときに、上下となる方向を上下方向、左右となる方向を左右方向、奥行き方向を見込み方向とする。なお、左右方向と見込み方向は水平方向となる。また、小口キャップ２０について、奥行き方向（見込み方向）において梁１０に近い側を内側、梁１０から遠い側を外側とする。同様に、梁１０について、奥行き方向（見込み方向）において小口キャップ２０に近い側を外側、小口キャップ２０から遠い側を内側とする。
【００２９】
＜＜＜梁１０について＞＞＞
本実施の形態に係る中空部材である梁１０について、図１乃至図４を参照しつつ説明する。
【００３０】
この梁１０は、テラス屋根８０の梁であり、その長手方向が見込み方向に沿った長尺状の長手材である。当該梁１０は、金属製（より具体的には、アルミ合金製）の形材からなり、形材内部は中空となっている。
【００３１】
梁１０は、テラス屋根８０の見込み方向における両端に設けられ、上下方向に沿った一対の柱８２の上に載置されている。また、当該梁１０の上方には、当該梁１０と接触した状態で側枠８４が設けられている。この側枠８４は、その長手方向が略（若干傾いているが）左右方向に沿っている。つまり、梁１０は、上下方向において柱８２と側枠８４に挟まれており、梁１０の上面部１１が側枠８４に接触し下面部１２が柱８２に接触している。
【００３２】
梁１０の断面（又は、小口）は、図４に示すように、上面部１１、下面部１２、及び、一対の側面部１３により形成される矩形状を有しているが、上面部１１に接触する側枠８４が若干傾いていることにより、（長方形状ではなく）台形状となっている。すなわち、梁１０の下面部１２は水平方向に沿っており、一対の側面部１３は共に上下（鉛直）方向に沿っているが、上面部１１は、水平方向との間に若干の角度を有している。そのため、梁１０の断面（又は、小口）は、一対の側面部１３が底辺（上底及び下底）に相当する台形状となっている。
【００３３】
また、上面部１１の左右方向における中央部と下面部１２の左右方向における中央部には、それぞれ凹部（上面凹部１１ａ、下面凹部１２ａと呼ぶ）が設けられている。
【００３４】
上面凹部１１ａは、上面部１１の下側へ凹んだ部分である。この上面凹部１１ａは、図４に示すように、側枠８４と梁１０を締結するためのボルト８６とボルト８６が固着される裏板８７とを収容するためのものである。つまり、ボルト８６は、上面凹部１１ａ内に位置した状態で、側枠８４と梁１０を固定している。
【００３５】
また、下面凹部１２ａは、下面部１２の上側へ凹んだ部分である。この下面凹部１２ａは、図４に示すように、取り付け金具８８を介して柱８２と梁１０を締結するボルト８６とボルト８６が固着される裏板８７とを収容するためのものである。つまり、取り付け金具８８はＬ字形状を備えており、ボルト８６で柱８２と梁１０の各々に固定されている。そして、梁１０に対応したボルト８６は、下面凹部１２ａ内に位置した状態で取り付け金具８８を梁１０に固定している。
【００３６】
なお、梁１０は、形材であるため、これらの凹部は、梁１０の長手方向における一端から他端に亘って連続して設けられている。
【００３７】
＜＜＜小口キャップ２０について＞＞＞
次に、小口キャップ２０について、図５乃至図１５を参照しつつ説明する。
【００３８】
小口キャップ２０は、中空部材（本実施の形態においては、梁１０）の見栄えを良くする目的や、中空部材の切削防止、中空部材への浸水の防止の目的等のために、梁１０の小口に取り付けられる樹脂製の部材である。本実施の形態に係る小口キャップ２０は、図１に示すように、梁１０の長手方向（見込み方向）における両端に位置する小口に取り付けられている。
【００３９】
この小口キャップ２０は、梁１０の小口と対向（正対）して当該小口を覆う小口キャップ本体（以下、本体部２２と呼ぶ）と、当該本体部２２から内側へそれぞれ突出した誘導スロープ４０及び誘導壁５０と、を備えている。
【００４０】
本体部２２は、梁１０を適切に覆うことができるように、梁１０と同様の台形状となっている。そして、梁１０に小口キャップ２０が取り付けられた際には、梁１０の上面部１１、下面部１２が、本体部２２の上縁に位置する上縁部２４、本体部２２の下縁に位置する下縁部２６にそれぞれ接触するようになっている。つまり、上縁部２４及び下縁部２６に、梁１０の上面部１１及び下面部１２の小口が接触する。
【００４１】
一方で、梁１０に小口キャップ２０が取り付けられた際に、梁１０の側面部１３の小口は、本体部２２の側縁に位置する側縁部２８ではなく、当該側縁部２８の左右方向における内側（つまり、左の側縁部２８の右側、及び、右の側縁部２８の左側）に接触するようになっている。すなわち、本実施の形態に係る側縁部２８は、図５等に示すように、上縁部２４や下縁部２６とは異なり、僅かに内側へ（見込み方向に）突出した突出部となっており（上縁部２４及び下縁部２６は突出していない）、突出した側縁部２８の左右方向における内側（左の側縁部２８の右側、及び、右の側縁部２８の左側）に側面部１３が位置する。
【００４２】
ところで、従来、小口キャップと中空部材（梁）の隙間から雨水が入り、小口キャップが取り付けられた中空部材（梁）内に当該雨水が溜まる問題が生じていた。そこで、本実施の形態に係る小口キャップ２０においては、当該問題に対する対策が講じられている。
【００４３】
すなわち、本実施の形態に係る小口キャップ２０には、雨水を排出する排出口３０と、排出口３０に向けて雨水を誘導する誘導部とが設けられている。そのため、小口キャップ２０と中空部材（梁１０）の隙間から入った雨水が当該誘導部により排出口３０に適切に導かれることとなり、当該雨水を適切に排出することが可能となる。
【００４４】
また、本実施の形態においては、当該誘導部として、前記本体部２２と梁１０の上方の隙間（前記上縁部２４と上面部１１との隙間や、後述する上部窪み２２ｂにより形成される空間）から入った雨水を前記排出口３０に向けて誘導する第一誘導部と、本体部２２と梁１０の側方の隙間（前記側縁部２８と側面部１３との隙間）から入った雨水を前記排出口３０に向けて誘導する第二誘導部と、を有している。つまり、本例においては、雨水が入ってくる場所を想定し、その想定箇所毎に（想定箇所に応じて）複数の誘導部を設けることとしている。そのため、雨水の誘導部による誘導がより効率的に行われ、当該雨水をより適切に排出することが可能となる。
【００４５】
以下、当該排出口３０及び誘導部（第一誘導部及び第二誘導部）について詳しく説明する。
【００４６】
本実施の形態に係る排出口３０は、本体部２２の下縁部２６に設けられている。具体的に説明すると、図１１等に示すように、本体部２２の内面２２ａの下部には、窪み（以下、後述する上部窪み２２ｂと区別するために、下部窪み２２ｃと呼ぶ）が設けられており、当該下部窪み２２ｃは、本体部２２の最下端まで至っている。そのため、図８や図１５に示すように、小口キャップ２０を下方から見た際には、当該下部窪み２２ｃが、下縁部２６を切り欠いた切り欠き部となっており、この切り欠き部が前記排出口３０となっている。
【００４７】
すなわち、前述したように、小口キャップ２０が取り付けられた梁１０においては、梁１０の下面部１２の小口が下縁部２６に接触しているが、下縁部２６が切り欠かれた部分については、下縁部２６と小口が接触していない（図１５参照）。そのため、当該切り欠き部は、小口キャップ２０が梁１０に取り付けられた際に、小口キャップ２０と梁１０に囲まれた開口となり、この開口が前記排出口３０となる。なお、本実施の形態においては、下部窪み２２ｃが本体部２２の左右方向における両端部に形成されているため、排出口３０は下縁部２６の左右方向における両端部に設けられていることとなる。
【００４８】
本実施の形態においては、第一誘導部として誘導スロープ４０が設けられている。誘導スロープ４０は、本体部２２の下部において本体部２２の内面２２ａから内側へ（見込み方向に）突出し、かつ、本体部２２の左右方向における中央部から端部へ向かって斜めに下がった部分である。すなわち、誘導スロープ４０は、本体部２２の左右方向における真ん中から左側に位置する左側スロープと右側に位置する右側スロープを備え、左側スロープは、左方へ向かうほど下がるような斜面となっており、右側スロープは、右方へ向かうほど下がるような斜面となっている。
【００４９】
したがって、本体部２２と梁１０の上方の隙間から入った雨水が、下方へ落下し誘導スロープ４０に至ると、左右方向における中央部から端部へ向かって斜めに下がった誘導スロープ４０に沿って中央部から端部（左端部又は右端部）へ向かって移動する。そして、移動した当該雨水は、下縁部２６の左右方向における両端部に設けられた排出口３０へ至る。このように、誘導スロープ４０は、本体部２２と梁１０の上方の隙間から入った雨水を排出口３０に向けて適切に誘導することができる。
【００５０】
なお、本実施の形態においては、誘導スロープ４０の左右方向における端４０ａの位置は、前述した下部窪み２２ｃの左右方向における中央寄りの端（換言すれば、排出口３０の左右方向における中央寄りの端３０ａ）の位置と一致している。そのため、誘導スロープ４０は、より確実に、雨水を排出口３０へ誘導することができる。
【００５１】
また、誘導スロープ４０の下方には、誘導スロープ４０の下端に引き続いて、上下方向に沿って延びた一対の規制壁４２（左規制壁及び右規制壁）が設けられている。この規制壁４２は、誘導スロープ４０と同様、本体部２２の内面２２ａから内側へ（見込み方向に）突出しており、かつ、下部窪み２２ｃと隣接している。そのため、規制壁４２は、誘導スロープ４０に沿って移動し誘導スロープ４０の端４０ａに至った雨水が、排出口３０の存在しない下縁部２６の中央部に至らないようにする役割を果たす。つまり、規制壁４２は、雨水の移動方向を、排出口３０の存在しない下縁部２６の中央部に向かわないように規制する。
【００５２】
また、本体部２２の上部かつ内面２２ａには、窪み（上部窪み２２ｂと呼ぶ）が形成されている。本実施の形態においては、上述したとおり、梁１０（形材）の上面部１１に上面凹部１１ａが設けられているため、上面凹部１１ａに雨水が溜まり、この溜まった雨水が問題を引き起こす可能性がある。そこで、上部窪み２２ｂを形成して上面凹部１１ａの小口と本体部２２との間に空間を設けるようにし、上面凹部１１ａに位置する雨水を積極的に小口キャップ２０内（梁１０内）に浸入させるようにしている。
【００５３】
つまり、上部窪み２２ｂが仮に形成されていないこととすれば、上面凹部１１ａの小口は、上面凹部１１ａ以外の上面部１１の小口と同様、本体部２２と接触するため、前記空間が設けられず、上面凹部１１ａに雨水が顕著に溜まってしまう。これに対し、上部窪み２２ｂを設けることにより、雨水を小口キャップ２０内（梁１０内）にスムーズに落とすことができる（落ちた雨水は誘導スロープ４０によって排出口３０へ適切に誘導される）。このように、本実施の形態においては、上面凹部１１ａの小口と本体部２２との間に空間を設けるための上部窪み２２ｂが、本体部２２の内面２２ａに形成されていることとしたため、上面凹部１１ａに雨水が溜まることを抑制することが可能となる。
【００５４】
また、本実施の形態においては、全ての上面凹部１１ａの小口と本体部２２との間に空間が形成されている。換言すれば、上面凹部１１ａのどの小口に対しても空間が形成されている。そして、かかる構成を実現するために、上部窪み２２ｂが形成されている範囲は、上面凹部１１ａが囲む範囲よりも一回り大きくなっている（図１４参照）。
【００５５】
また、本実施の形態においては、第二誘導部として複数（二つ）の誘導壁５０が設けられている。誘導壁５０は、本体部２２の内面２２ａから内側へ（見込み方向に）突出した部分であり、本体部２２の上部から下部に亘って上下方向に沿って形成されている。各々の誘導壁５０は、本体部２２の左右方向における端部（左端部及び右端部）に設けられており、突出した前記側縁部２８と隣り合った状態で互いが平行となるように備えられている。
【００５６】
したがって、誘導壁５０は、本体部２２と梁１０の側方の隙間から入った雨水を下方へ誘導する。つまり、誘導壁５０は、当該雨水が本体部２２の左右方向における中央部へ行かないようにブロックし、ブロックされた雨水は、誘導壁５０を伝って下方へ移動する。下方には下縁部２６の左右方向における端部に設けられた排出口３０が位置しているため、下方へ移動した雨水は排出口３０へ適切に誘導される。このように、誘導壁５０は、本体部２２と梁１０の側方の隙間から入った雨水を排出口３０に向けて適切に誘導することができる。なお、当然のことながら、誘導壁５０は、本体部２２と梁１０の上方の隙間のうち左右方向において最も端に位置する隙間から入った雨水も誘導することができる。
【００５７】
また、誘導壁５０の外壁面５０ａには、図９、図１０等に示すように、ネジ穴５０ｂが設けられており、当該ネジ穴５０ｂと梁１０の側面部１３に設けられたネジ穴とをネジ９０が貫通することにより、梁１０に小口キャップ２０が固定されている（図４参照）。
【００５８】
このように、本実施の形態においては、誘導壁５０にネジ穴５０ｂを設けることにより、誘導壁５０に、雨水を誘導する機能だけでなく、小口キャップ２０の固定機能も持たせることが可能となる。
【００５９】
なお、本実施の形態においては、二つの誘導壁５０の双方にネジ穴５０ｂが設けられているが、ネジ９０が挿入されているネジ穴５０ｂは、右側の誘導壁５０のネジ穴５０ｂのみである（図４参照）。
【００６０】
また、誘導壁５０の外壁面５０ａには、当該外壁面５０ａから左右方向における外側に（側縁部２８へ向かう方向に）突出したリブ５２が複数（本実施の形態においては、各々の誘導壁５０に対し５つ）設けられている。図１４に示すように、小口キャップ２０が梁１０に取り付けられると、梁１０の側面部１３が当該リブ５２と接触した状態となり、小口キャップ２０が梁１０に適切に圧入（嵌合）されるようになっている。
【００６１】
このように、本実施の形態においては、誘導壁５０にリブ５２を設けることにより、誘導壁５０に、雨水を誘導する機能だけでなく、小口キャップ２０の圧入機能も持たせることが可能となる。
【００６２】
なお、リブ５２は、図１３等に示すように、見込み方向に沿うように設けられているが、誘導壁５０の見込み方向における一端（誘導壁５０の本体部２２との境界部分）から他端（誘導壁５０の突出端面５０ｃ）に亘って連続して設けられているわけではない。つまり、見込み方向におけるリブ５２の先端５２ａは突出端面５０ｃまで至っておらず、双方の間には、リブ５２が存在しない箇所が存在する。そのため、図１３に表された下向き矢印が示すように、雨水は、リブ５２に邪魔されることなく、誘導壁５０を伝って下方へ移動することができる。
【００６３】
また、図１３等に示すように、誘導壁５０の下部には、誘導壁５０の見込み方向における高さが下方に向かうほど低くなる切り欠き５０ｄが備えられている。つまり、誘導壁５０の見込み方向における高さは、上下方向における殆どの位置で一定であるのに対し、下部においては、徐々に低くなっている（つまり、斜めに切り欠かれた状態となっている）。
【００６４】
したがって、雨水が、誘導壁５０を伝って下方へ移動して切り欠き５０ｄに至ると、切り欠き５０ｄに沿って斜め下方に、つまり、見込み方向における外側へと移動する（図１３に示した左下向き矢印参照）。そして、排出口３０の位置は、誘導壁５０の突出端面５０ｃの位置よりも、見込み方向において外側に位置しているため、切り欠き５０ｄを移動した当該雨水は、やがて適切に排出口３０へ誘導されることとなる。このように、本実施の形態においては、誘導壁５０に切り欠き５０ｄを設けたため、本体部２２と梁１０の側方の隙間から入った雨水を排出口３０に向けてより適切に誘導することができる。
【００６５】
＝＝＝小口キャップ２０の変形例について＝＝＝
次に、小口キャップ２０の第一変形例乃至第三変形例について、図１６乃至図２２を参照しつつ説明する。なお、既述の実施形態と同一構成部分には同一符号を付して重複する説明を省略して述べる。
【００６６】
＜第一変形例＞
第一変形例に係る小口キャップ２０は、上記実施形態（以下、第一実施形態とも呼ぶ）と同様、雨水を排出する排出口３０と、排出口３０に向けて雨水を誘導する誘導部が設けられている。そして、誘導部として、本体部２２と梁１０の上方の隙間から入った雨水を排出口３０に向けて誘導する第一誘導部と、本体部２２と梁１０の側方の隙間から入った雨水を排出口３０に向けて誘導する第二誘導部と、を有している。
【００６７】
また、上記実施形態と同様、第一誘導部として、本体部２２の内面２２ａから内側へ突出し、かつ、本体部２２の左右方向における中央部から端部へ向かって斜めに下がった誘導スロープ４０が設けられ、第二誘導部として、本体部２２の内面２２ａから内側へ突出し、かつ、上下方向に沿った誘導壁５０が、本体部２２の左右方向における端部に設けられている。
【００６８】
しかしながら、上記実施形態とは異なり、第一誘導部として、誘導スロープ４０の他に、雨水集約部６０が設けられている。
【００６９】
雨水集約部６０は筒状（本実施の形態においては、角筒であるが、これに限定されるものでなく、円筒であってもよい）の部分である。すなわち、雨水集約部６０は、本体部２２の内面２２ａから内側へ突出した部分（以下、突出壁部６０ａと呼ぶ）だけではなく、複数の当該突出壁部６０ａを連結する部分（以下、連結壁部６０ｂと呼ぶ）も備えている（図１６の上面図参照）。
【００７０】
突出壁部６０ａは、本体部２２の上部から下部に亘って上下方向に沿って形成されている。突出壁部６０ａは、二つ備えられており、各々は、本体部２２の左右方向における端部（左端部及び右端部）に設けられている。突出壁部６０ａは、誘導壁５０と隣接した状態で互いが平行となるように備えられている。
【００７１】
連結壁部６０ｂも、本体部２２の上部から下部に亘って上下方向に沿って形成されている。連結壁部６０ｂは、一対の突出壁部６０ａの突出端部（すなわち、見込み方向において最も内側に位置する突出壁部６０ａの端部）を連結する（結ぶ）壁となっている。
【００７２】
そして、雨水集約部６０の上部及び下部には、当該二つの突出壁部６０ａと連結壁部６０ｂに囲まれた開口（上開口６０ｃ及び下開口６０ｄ）が形成されることとなる。そして、上開口６０ｃは、雨水集約部６０へ入る雨水の入口となり、また、下開口６０ｄは、雨水集約部６０から出る雨水の出口となる。本変形例においては、雨水集約部６０の内部に誘導スロープ４０が存在することにより、下開口６０ｄが二箇所に分かれており、各下開口６０ｄは雨水集約部６０の左右方向における両端部に設けられている。そして、上記実施形態と同様、下部窪み２２ｃからなる排出口３０は下縁部２６の左右方向における両端部に設けられているため、下開口６０ｄから出た雨水は、スムーズに排出口３０へ導かれる。
【００７３】
このように、第一変形例に係る小口キャップ２０においては、誘導部として雨水を集約する雨水集約部６０が備えられているため、小口キャップ２０と梁１０の隙間から入った雨水を排出口３０に向けてより適切に誘導することができる。すなわち、雨水集約部６０は、筒状となっており、前記突出壁部６０ａだけではなく当該突出壁部６０ａを連結する連結壁部６０ｂも備えているため、連結壁部６０ｂが、見込み方向における内側へ（すなわち、小口キャップから遠い梁１０の奥側へ）雨水が行かないようにブロックする役割を果たす。つまり、雨水集約部６０は、小口キャップ２０と梁１０の隙間（より具体的には、本体部２２と梁１０の上方の隙間）から入った雨水を、小口キャップ２０側に集約して小口キャップ２０に設けられた排出口３０に適切に誘導することができる。
【００７４】
また、連結壁部６０ｂの下部６０ｆの見込み方向における位置は、連結壁部６０ｂの上部６０ｅの見込み方向における位置よりも外側に位置している。より具体的には、連結壁部６０ｂの下部６０ｆの見込み方向における位置は、下方に向かうほど徐々に外側へ位置するようになっている（図１７のＢ−Ｂ断面図参照）。そのため、上開口６０ｃをなるべく拡げて多くの雨水を雨水集約部６０に集めつつ、下開口６０ｄを本体部２２になるべく近づけて排出口３０へ雨水を適切に誘導させることができる。
【００７５】
また、第一変形例においては、前述したとおり、雨水集約部６０が、本体部２２と梁１０の上方の隙間から入った雨水を排出口３０に向けて誘導する第一誘導部であり、本体部２２と梁１０の側方の隙間から入った雨水を排出口３０に向けて誘導する第二誘導部（つまり、誘導壁５０）を第一誘導部とは別に備えるため、雨水の誘導部による誘導がより効率的に行われ、当該雨水をより適切に排出することが可能となる。
【００７６】
＜第二変形例＞
第二変形例に係る小口キャップ２０は、上記実施形態及び第一変形例と同様、雨水を排出する排出口３０と、排出口３０に向けて雨水を誘導する誘導部が設けられている。そして、誘導部として、本体部２２と梁１０の上方の隙間から入った雨水を排出口３０に向けて誘導する第一誘導部と、本体部２２と梁１０の側方の隙間から入った雨水を排出口３０に向けて誘導する第二誘導部と、を有している。
【００７７】
また、第一変形例と同様、第一誘導部として、筒状の雨水集約部６０と当該雨水集約部６０の内部に位置し本体部２２の内面２２ａから内側へ（見込み方向に）突出した誘導スロープ４０とが設けられ、第二誘導部として、本体部２２の内面２２ａから内側へ突出し、かつ、上下方向に沿った誘導壁５０が、本体部２２の左右方向における端部に設けられている。
【００７８】
しかしながら、第一変形例に係る誘導スロープ４０が、本体部２２の左右方向における中央部から端部へ向かって斜めに下がったスロープであったのに対し、本変形例に係る誘導スロープ４０は、本体部２２の左右方向における端部から中央部へ向かって斜めに下がったスロープとなっている。そして、下部窪み２２ｃからなる排出口３０は下縁部２６（本体部２２）の左右方向における中央部に設けられている。
【００７９】
このように、誘導スロープ４０の形態は、排出口３０の位置に応じて適宜変更してもよい。例えば、排出口３０が左右方向における両端部と中央部に設けられている場合に、３つの排出口３０の各々へ雨水を誘導するような誘導スロープ４０を設けることとしてもよい。
【００８０】
なお、本変形例においては、本体部２２の左右方向における端部から中央部へ向かって斜めに下がった誘導スロープ４０が筒状の雨水集約部６０の内部に設けられていた（具体的には、雨水集約部６０の突出壁部６０ａの一部により形成されている）が、このような誘導スロープ４０を筒状の雨水集約部６０が存在しない小口キャップ２０に設けるようにしてもよい。すなわち、雨水集約部６０が存在しない第一実施形態に係る小口キャップ２０の誘導スロープ４０を、排出口３０の位置に応じて、このような誘導スロープ４０に変えてもよい。
【００８１】
また、第一実施形態及び第一変形例においては、排出口３０が下縁部２６の左右方向における両端部に設けられており、この両端部の排出口３０がいずれも、第一誘導部と第二誘導部の共通の排出口３０となっていたが、第二変形例においては、下縁部２６の左右方向における中央部に設けられた排出口３０が第一誘導部に対応する排出口３０となっている一方で、第二誘導部に対応する排出口３０が、別途下縁部２６の左右方向における両端部に設けられている。
【００８２】
＜第三変形例＞
第三変形例に係る小口キャップ２０は、上記実施形態及び第一、第二変形例と同様、雨水を排出する排出口３０と、排出口３０に向けて雨水を誘導する誘導部が設けられている。そして、誘導部として、本体部２２と梁１０の上方の隙間から入った雨水を排出口３０に向けて誘導する第一誘導部と、本体部２２と梁１０の側方の隙間から入った雨水を排出口３０に向けて誘導する第二誘導部と、を有している。
【００８３】
また、第二変形例と同様、第一誘導部として、筒状の雨水集約部６０と、当該雨水集約部６０の内部に位置し、かつ、本体部２２の内面２２ａから内側へ（見込み方向に）突出し、本体部２２の左右方向における端部から中央部へ向かって斜めに下がった誘導スロープ４０とが設けられ、第二誘導部として、本体部２２の内面２２ａから内側へ突出し、かつ、上下方向に沿った誘導壁５０が、本体部２２の左右方向における端部に設けられている。そして、第二変形例と同様、第一誘導部に対応する排出口３０が本体部２２の左右方向における中央部に設けられている。
【００８４】
しかしながら、第二変形例に係る当該排出口３０が、下縁部２６の下部窪み２２ｃからなる排出口３０であったのに対し、本変形例に係る排出口３０は、雨水集約部６０で集約された雨水を本体部２２の内面から外面へ排水し、本体部２２の内面２２ａから外面２２ｄへと貫通する排出口３０となっている。
【００８５】
この排出口３０は、図２２に示すように、本体部２２の上下方向における中央部かつ左右方向における中央部に横長の矩形状に設けられている。そして、第二変形例とは異なり、雨水集約部６０には、下開口６０ｄが設けられておらず、排出口３０は突出壁部６０ａの上方に位置している。そのため、雨水集約部６０に入った雨水は、この排出口３０から抜けるようになっている。
【００８６】
このように、第三変形例に係る小口キャップ２０においては、雨水集約部６０が、本体部２２の内面２２ａから外面２２ｄへと貫通する排出口３０に向けて雨水を誘導するような構成としたため、上記実施形態及び第一、第二変形例とは異なり、排出口３０を梁１０（下面部１２）の小口と接しない位置に設けることができる。そのため、より確実に、梁１０内に雨水を浸水させることなく排出することが可能となる。
【００８７】
なお、本変形例においても、第二変形例と同様、第二誘導部に対応する排出口３０が、別途下縁部２６の左右方向における両端部に設けられている。
【００８８】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８９】
上記実施形態においては、小口キャップを取り付ける中空部材として、テラス屋根の梁１０を例に挙げて説明したが、これに限定されるものではなく、屋外に置かれた中空部材であれば、どのようなものでも構わない。例えば、既述のとおり、ルーバー、屋外フェンス、庇、手すりであってもよい。
【００９０】
また、上記実施形態においては、上面部１１及び下面部１２に、それぞれ上面凹部１１ａ及び下面凹部１２ａが設けられていることとしたが、これに限定されるものではなく、上面凹部１１ａ及び下面凹部１２ａが設けられていないこととしてもよい。また、上面凹部１１ａが設けられていない場合には、上部窪み２２ｂを設けなくてもよい。
【符号の説明】
【００９１】
１  屋外ユニット
１０  梁、１１  上面部、１１ａ  上面凹部
２０  小口キャップ
２２  本体部、２２ａ  内面、２２ｂ  上部窪み、２２ｄ  外面
２６  下縁部
３０  排出口
４０  誘導スロープ
５０  誘導壁、５０ｃ  突出端面、５０ｄ  切り欠き
６０  雨水集約部
【図１】
0006662683.tif 000002
【図２】
0006662683.tif 000003
【図３】
0006662683.tif 000004
【図４】
0006662683.tif 000005
【図５】
0006662683.tif 000006
【図６】
0006662683.tif 000007
【図７】
0006662683.tif 000008
【図８】
0006662683.tif 000009
【図９】
0006662683.tif 000010
【図１０】
0006662683.tif 000011
【図１１】
0006662683.tif 000012
【図１２】
0006662683.tif 000013
【図１３】
0006662683.tif 000014
【図１４】
0006662683.tif 000015
【図１５】
0006662683.tif 000016
【図１６】
0006662683.tif 000017
【図１７】
0006662683.tif 000018
【図１８】
0006662683.tif 000019
【図１９】
0006662683.tif 000020
【図２０】
0006662683.tif 000021
【図２１】
0006662683.tif 000022
【図２２】
0006662683.tif 000023